(57)【要約】【課題】油循環停止時に油循環流方向上流側のバルブでの異物によるバルブスティックを確実に防止するとともに、油の循環時に効率よく異物を溜めることができるサブストレーナを提供する。【解決手段】有底筒状のストレーナ本体11下面の油流入口112より流入した油中から異物を濾過した油をストレーナ本体11周面に設けられた油流出口115から流出させるメッシュ部12と、油流入口112の周囲に外周端が取り付けられた略環状の異物捕獲部14とを備える。油循環流路Gでの油の循環停止時に異物捕獲部14の内周部分をストレーナ本体11の枠部111の内壁から離して油流入口112の口径を狭める方向に張り出すように変形させることによって、メッシュ部12から自重で落下する異物を捕獲する。一方、油の循環時に異物捕獲部14の内周部分を油の循環流に倣ってストレーナ本体11の内壁に沿うように変形させることによって油の循環停止時に捕獲した異物を囲い込んで拘束している。【選択図】図１
2008232376.tif 000002
【特許請求の範囲】
【請求項１】
自動変速機の油圧を制御するバルブボディの内部の油循環流路に介設されるサブストレーナであって、
下面に油流入口を有する有底筒状のストレーナ本体と、
このストレーナ本体の周面に設けられた油流出口と、
この油流出口に設けられ、上記油流入口より流入された油中から異物を濾過した油を上記油流出口から流出させるメッシュ部と、
上記ストレーナ本体を上記油循環流路に固定する固定部と、
上記油流入口の周囲に設けられ、上記メッシュ部により濾過された異物を捕獲する略環状の異物捕獲部と
を備え、
上記異物捕獲部は、上記油循環流路での油の循環停止時に内周部分が上記ストレーナ本体の内壁から離れて上記油流入口の口径を狭める方向に張り出すように変形することによって、上記メッシュ部から自重で落下する異物を捕獲する一方、油の循環時に内周部分が油の循環流に倣って上記ストレーナ本体の内壁に沿うように変形することによって、油の循環停止時に捕獲した異物を囲い込んで拘束することを特徴とするサブストレーナ。
【請求項２】
請求項１に記載のサブストレーナにおいて、
上記固定部は、上記ストレーナ本体の下端部に設けられており、
上記異物捕獲部は、上記固定部と一体的に形成されていることを特徴とするサブストレーナ。
【請求項３】
請求項１または請求項２に記載のサブストレーナにおいて、
上記異物捕獲部は、磁性を有する材料により形成されていることを特徴とするサブストレーナ。
【請求項４】
請求項１ないし請求項３のいずれか１つに記載のサブストレーナにおいて、
上記異物捕獲部の内周部分には、その内周端の周方向複数箇所よりそれぞれ外周部分へ向かって伸びるスリットが設けられていることを特徴とするサブストレーナ。
【発明の詳細な説明】
【技術分野】
【０００１】
本発明は、自動変速機の油圧を制御するバルブボディの内部の油循環流路に介設されるサブストレーナに関し、詳しくは、油中に混在する磨耗微鉄粉や塵などの異物を捕獲して拘束するようにしたものに係る。
【背景技術】
【０００２】
一般に、自動変速機の油圧を制御するバルブボディの内部には、油循環流路に介設される各種バルブに磨耗微鉄粉や塵などの異物が挟まって作動不良となる所謂バルブスティックを防止する上で、メインストレーナおよびサブストレーナが配設されている。このうちのメインストレーナは、オイルポンプのサクション側でオイルパン内に設けられている一方、サブストレーナは、バルブボディの内部の油循環流路における各種バルブの上流側に介設されている。
【０００３】
このようなサブストレーナとしては、例えば特許文献１に示すように、上面に油流入口を有する有底筒状のストレーナ本体と、このストレーナ本体の周面に設けられた油流出口と、この油流出口に設けられ、上記油流入口より流入された油中から異物を濾過した油を上記油流出口から流出させるメッシュ部と、上記ストレーナ本体を上記油循環流路に固定する固定部とを備えたものが従来より知られている。このサブストレーナは、油循環流路に固定部によって固定され、サブストレーナの油循環流路上流側から油流入口を介して流入された油中から濾過された異物を溜める溜まり部を底部に有し、油循環流路での油の循環停止時にメッシュ部から自重で落下する異物が溜まり部に溜められるようになっている。
【特許文献１】特開平５−２３５０８号公報
【発明の開示】
【発明が解決しようとする課題】
【０００４】
ところで、サブストレーナがバルブボディの内部の油循環流路における各種バルブの上流側に介設される関係上、その油循環流路の形状によっては、ストレーナ本体の下面に油流入口を有するサブストレーナが適用されることがある。このようなサブストレーナにあっては、ストレーナ本体下面の油流入口より流入された油中からメッシュ部により異物を濾過した油をストレーナ本体周面の油流出口から流出させるようにしている。そして、ストレーナ本体は油循環流路に固定部によって固定されている。
【０００５】
しかし、このようなサブストレーナでは、ストレーナ本体の下面に油流入口が設けられているため、ストレーナ本体の下部に異物を溜めるための溜まり部を設けることが非常に困難なものとなる。そのため、メッシュ部により濾過された異物は、油循環流路での油の循環停止時に、ストレーナ本体下面の油流入口から油循環流路（サブストレーナよりも油循環流方向上流側の油循環流路）に自重で落下することになる。これでは、油循環流路での油の循環停止時に油循環流路に落下した異物が油中に浮遊しながら更に油循環流路の上流側に運ばれて、油循環流路のサブストレーナよりも油循環流方向上流側に介設されたバルブに異物が挟まり、これによって該バルブがバルブスティックを起こすおそれがある。
【０００６】
一方、仮に異物を溜める溜まり部がストレーナ本体の下部に設けられたとしても、油循環流路での油の循環停止時にメッシュ部から自重で落下する異物をストレーナ本体下部において単に溜めるだけの溜まり部では、油循環流路での油の循環が開始されると、油の循環流の影響を受けて溜まり部の異物が浮遊することになる。そのため、せっかく溜まり部に溜まっていた異物を再度濾過して油循環流路での油の循環停止時に溜め直す必要があり、非常に効率が悪いものとなる。
【０００７】
本発明は、かかる点に鑑みてなされたものであり、その目的とするところは、油循環流路での油の循環停止時にストレーナ本体下面の油流入口から油循環流路に自重で落下した異物による油循環流方向上流側でのバルブのバルブスティックを確実に防止するとともに、油循環流路での油の循環開始時に油の循環流に乗って浮遊する異物を再度濾過する無駄をなくして効率よく異物を溜めることができるサブストレーナを提供することにある。
【課題を解決するための手段】
【０００８】
上記目的を達成するため、本発明では、自動変速機の油圧を制御するバルブボディの内部の油循環流路に介設されるサブストレーナを前提とし、下面に油流入口を有する有底筒状のストレーナ本体と、このストレーナ本体の周面に設けられた油流出口と、この油流出口に設けられ、上記油流入口より流入された油中から異物を濾過した油を上記油流出口から流出させるメッシュ部と、上記ストレーナ本体を上記油循環流路に固定する固定部とを備える。更に、上記油流入口の周囲に設けられ、上記メッシュ部により濾過された異物を捕獲する略環状の異物捕獲部を備える。そして、上記油循環流路での油の循環停止時に上記異物捕獲部の内周部分を上記ストレーナ本体の内壁から離して上記油流入口の口径を狭める方向に張り出すように変形させることによって、上記メッシュ部から自重で落下する異物を捕獲する。一方、油の循環時に上記異物捕獲部の内周部分を油の循環流に倣って上記ストレーナ本体の内壁に沿うように変形させることによって、油の循環停止時に捕獲した異物を囲い込んで拘束している。
【０００９】
この特定事項により、メッシュ部により濾過された異物は、油循環流路での油の循環停止時に内周部分がストレーナ本体の内壁から離れて油流入口の口径を狭める方向に張り出すように変形する異物捕獲部に自重で落下して捕獲され、ストレーナ本体下面の油流入口から油循環流路への自重での落下が防止される。これにより、油循環流路での油の循環停止時に自重で落下した異物が油中に浮遊しながら油循環流路の上流側に運ばれることがなく、油循環流路のサブストレーナよりも油循環流方向上流側のバルブでの異物によるバルブスティックを確実に防止することが可能となる。
【００１０】
そして、異物捕獲部は、油循環流路での油の循環が開始されると、内周部分が油の循環流に倣ってストレーナ本体の内壁に沿うように変形し、油の循環停止時に捕獲した異物が異物捕獲部により囲い込まれて拘束される。このため、油の循環停止時に異物捕獲部により捕獲された異物が、油の循環が開始された際に油の循環流に乗って浮遊することがない。これにより、油の循環開始時に異物を再度濾過して溜め直す無駄がなくなり、異物捕獲部に効率よく異物を溜めることが可能となる。
【００１１】
また、上記固定部を上記ストレーナ本体の下端部に設け、上記異物捕獲部を上記固定部と一体的に形成している場合には、異物捕獲部を新たに設置することなく固定部を流用して異物捕獲部が形成され、固定部の流用によって部品点数の削減化を図ることが可能となる。
【００１２】
そして、上記異物捕獲部を、磁性を有する材料により形成している場合には、異物のうちの磨耗微鉄粉の異物捕獲部での捕捉能力が高められ、油循環流路での油の循環開始時における磨耗微鉄粉の浮遊をより確実に防止することが可能となる。
【００１３】
更に、上記異物捕獲部の内周部分に、その内周端の周方向複数箇所よりそれぞれ外周部分へ向かって伸びるスリットを設けている場合には、油循環流路での油の循環停止時に内周部分がストレーナ本体の内壁から離れて油流入口の口径を狭める方向に張り出すように変形する変形動作、および油の循環時に内周部分が油の循環流に倣ってストレーナ本体の内壁に沿うように変形する変形動作がよりスムーズに行われ、異物捕獲部による異物の捕獲性能および異物の拘束性能をより高めることが可能となる。
【発明の効果】
【００１４】
以上、要するに、油循環流路での油の循環停止時に異物捕獲部の内周部分をストレーナ本体の内壁から離して張り出すように変形させてメッシュ部から自重で落下する異物を捕獲する一方、油の循環時に異物捕獲部の内周部分を油の循環流に倣ってストレーナ本体の内壁に沿うように変形させて油の循環停止時に捕獲した異物を囲い込んで拘束することで、メッシュ部により濾過した異物を油循環流路での油の循環停止時に異物捕獲部で捕獲してストレーナ本体下面の油流入口から油循環流路への自重での落下を防止し、油循環流路のサブストレーナよりも油循環流方向上流側のバルブでの異物によるバルブスティックを確実に防止することができる。更に、油の循環停止時に捕獲した異物を異物捕獲部により囲い込んで拘束し、油の循環開始時に異物を再度濾過して溜め直す無駄がなくなって異物捕獲部に効率よく異物を溜めることができる。
【発明を実施するための最良の形態】
【００１５】
次に、本発明の自動変速機の油圧を制御するバルブボディの内部の油循環流路に介設されるサブストレーナを図面に基づいて説明する。
【００１６】
図１に示すように、サブストレーナ１は、ストレーナ本体１１と、このストレーナ本体１１に嵌合されたメッシュ部１２とを備えている。ストレーナ本体１１は、６６ナイロンなどのプラスチック材により成形されている。また、図２に示すように、ストレーナ本体１１は、有底略円筒形状に形成され、下面に開口する油流入口１１２を備えた環状の枠部１１１と、上面を閉塞するキャップ部１１３と、このキャップ部１１３と上記枠部１１１とを周方向に１８０°隔てた位置で連結する縦枠部１１４，１１４とからなる。そして、ストレーナ本体１１の周面、つまりキャップ部１１３と上記枠部１１１との間において各縦枠部１１４を除く部分には、油流出口１１５が設けられている。
【００１７】
また、メッシュ部１２は、ストレーナ本体１１の油流出口１１５を覆うように設けられ、上記油流入口１１２より流入された油中から磨耗微鉄粉や塵などの異物を濾過した油を上記油流出口１１５から流出させるようにしている。このメッシュ部１２は、例えばＳＵＳ♯１００などの金属メッシュ線材同士の交差部を焼結結合し、上記キャップ部１１３と上記枠部１１１との間において各縦枠部１１４の内周側に嵌合される外径を存して円筒形状に形成されている。この場合、メッシュ部１２は、その上端部がキャップ部１１３の内周面下端部に取り付けられているとともに、下端部が枠部１１１の内周面上端部に取り付けられて、油流出口１１５を隙間なく覆っている。
【００１８】
上記バルブボディの内部には油循環流路Ｇが設けられている。このバルブボディの内部は、図１に示すように、上部バルブボディ２１と下部バルブボディ２２とにセパレートプレート２３によって仕切られている。また、上記油循環流路Ｇも、セパレートプレート２３によって、上部バルブボディ２１内部の下流側油循環流路Ｇ２と下部バルブボディ２２内部の上流側油循環流路Ｇ１とに仕切られている。この下流側油循環流路Ｇ２と上流側油循環流路Ｇ１とは、セパレートプレート２３に開口する連通口２３１を介して連通している。そして、上記ストレーナ本体１１の枠部１１１の外周面下端部には、ストレーナ本体１１を油循環流路Ｇに固定する固定部としての略環状のスペーサ１３が取り付けられている。具体的には、ストレーナ本体１１は、その枠部１１１をセパレートプレート２３の連通口２３１に挿通し、枠部１１１外周面下端部に取り付けたスペーサ１３を上記連通口２３１に嵌合させることによって油循環流路Ｇに装着されている。このスペーサ１３は、ゴム材よりなり、ストレーナ本体１１の枠部１１１の外周面下端部から下方に回り込む断面略Ｌ字状に形成されている。
【００１９】
また、図３に示すように、油循環流路Ｇのサブストレーナ１よりも油循環流方向下流側、つまり上部バルブボディ２１内部の下流側油循環流路Ｇ２には、ソレノイドバルブ３が介設されている。このソレノイドバルブ３は、図示しないロックアップクラッチの係脱を制御するためのものである。一方、油循環流路Ｇのサブストレーナ１よりも油循環流方向上流側、つまり下部バルブボディ２２内部の上流側油循環流路Ｇ１には、ソレノイドモジュレータバルブ４が介設されている。このソレノイドモジュレータバルブ４は、上記ソレノイドバルブ３に対する油の供給圧を所定圧（例えば、６００ｋｐａ）に調整するためのものである。そして、サブストレーナ１は、ソレノイドバルブ３に磨耗微鉄粉や塵などの異物Ｑ（図４および図５に表れる）が挟まって作動不良となる所謂バルブスティックを防止する上で、ソレノイドバルブ３よりも油循環流方向上流側に設けられている。
【００２０】
そして、図１に示すように、ストレーナ本体１１の油流入口１１２の周囲、つまりスペーサ１３の内周端には、略環状の異物捕獲部１４が設けられている。この異物捕獲部１４は、スペーサ１３と同様のゴム材よりなり、スペーサ１３の内周端に外周端が一体的に取り付けられている。そして、図４に示すように、異物捕獲部１４は、外周端から内周端に行くに従い薄肉に形成され、油循環流路Ｇでの油の循環停止時に内周部分がストレーナ本体１１の枠部１１１の内壁から離れて油流入口１１２の口径を狭める方向に張り出すように変形することによって、メッシュ部１２から自重で落下する異物Ｑ，Ｑ，…を捕獲している。一方、図５に示すように、異物捕獲部１４は、油の循環時に内周部分が油流入口１１２の口径を拡げるように油の循環流に倣ってストレーナ本体１１の枠部１１１の内壁に沿って変形することによって、油の循環停止時に捕獲した異物Ｑを囲い込んで拘束している。また、図６および図７に示すように、異物捕獲部１４の内周部分には、その内周端の周方向複数箇所よりそれぞれ外周部分へ向かって伸びるスリット１４１，１４１，…が設けられている。この各スリット１４１は、異物捕獲部１４の周方向所定間隔置きの１２箇所に設けられ、油循環流路Ｇでの油の循環停止時に内周部分がストレーナ本体１１の枠部１１１の内壁から離れて上記油流入口１１２の口径を狭める方向に張り出すように変形する異物捕獲部１４の変形動作、および油の循環時に内周部分が油の循環流（図５に矢印で示す）に倣ってストレーナ本体１１の枠部１１１の内壁に沿うように変形する異物捕獲部１４の変形動作がスムーズに行えるようにしている。
【００２１】
この場合、異物捕獲部１４の内周部分は、図６に示すように、ストレーナ本体１１の枠部１１１の内壁から離れて張り出すような変形動作を行った際に各スリット１４１による周方向の隙間が密閉されている。一方、異物捕獲部１４の内周部分は、図７に示すように、ストレーナ本体１１の枠部１１１の内壁に沿うような変形動作を行った際に各スリット１４１による周方向の隙間が露呈しているものの、ストレーナ本体１１の内壁に沿うように変形することで異物Ｑの拘束が円滑に行われ、スリット１４１による隙間からの異物Ｑの洩れ出しを抑制している。
【００２２】
したがって、上記実施形態では、メッシュ部１２により濾過された異物Ｑは、油循環流路Ｇでの油の循環停止時に内周部分がストレーナ本体１１の枠部１１１の内壁から離れて油流入口１１２の口径を狭める方向に張り出すように変形する異物捕獲部１４に自重で落下して捕獲され、ストレーナ本体１１下面の油流入口１１２から上流側油循環流路Ｇ１への自重での落下が防止される。これにより、油循環流路Ｇでの油の循環停止時に自重で落下した異物Ｑが油中に浮遊しながら上流側油循環流路Ｇ１側に運ばれることがなく、油循環流路Ｇのサブストレーナ１よりも油循環流方向上流側のソレノイドモジュレータバルブ４での異物Ｑによるバルブスティックを確実に防止することができる。
【００２３】
そして、異物捕獲部１４は、油循環流路Ｇでの油の循環が開始されると、内周部分が油の循環流に倣ってストレーナ本体１１の枠部１１１の内壁に沿うように変形し、油の循環停止時に捕獲した異物が異物捕獲部１４により囲い込まれて拘束される。このため、油の循環停止時に異物捕獲部１４により捕獲された異物Ｑが、油の循環が開始された際に油の循環流に乗って浮遊することがない。これにより、油の循環開始時に異物Ｑを再度濾過して溜め直す無駄がなくなり、異物捕獲部１４に効率よく異物を溜めることができる。
【００２４】
また、上記異物捕獲部１４がスペーサ１３の内周端に一体的に形成されているので、異物捕獲部１４を新たに設置することなくスペーサ１３を流用して異物捕獲部１４が形成され、スペーサ１３の流用によって部品点数の削減化を図ることができる。
【００２５】
更に、異物捕獲部１４の内周部分には、その内周端の周方向複数箇所よりそれぞれ外周部分へ向かって伸びるスリット１４１，１４１，…が設けられているので、油循環流路Ｇでの油の循環停止時に内周部分をストレーナ本体１１の内壁から離して張り出すように変形させる異物捕獲部１４の変形動作、および油の循環時に内周部分を油の循環流に倣ってストレーナ本体１１の内壁に沿うように変形させる異物捕獲部１４の変形動作がよりスムーズに行われ、異物捕獲部１４による異物Ｑの捕獲性能および異物Ｑの拘束性能をより高めることができる。
【００２６】
なお、本発明は、上記実施形態に限定されるものではなく、その他種々の変形例を包含している。例えば、上記実施形態では、異物捕獲部１４をスペーサ１３と同様のゴム材により形成したが、６６ナイロンなどのプラスチック材にストロンチュウムフェライトなどの磁性体粉末を混合して成型したプラスチックマグネットのような磁性を有する材料により異物捕獲部が形成されていてもよい。この場合には、異物のうちの磨耗微鉄粉の異物捕獲部での捕捉能力が高められ、油循環流路での油の循環開始時における磨耗微鉄粉の浮遊をより確実に防止することが可能となる。
【００２７】
また、上記実施形態では、各スリット１４１を異物捕獲部１４の周方向所定間隔置きの１２箇所において内周端よりそれぞれ外周部分へ向かって伸びるスリット１４１，１４１，…を設け、内周部分をストレーナ本体１１の内壁から離して張り出すように変形させる異物捕獲部１４の変形動作を行った際に各スリット１４１による周方向の隙間を密閉する一方、内周部分をストレーナ本体１１の内壁に沿うように変形させる異物捕獲部１４の変形動作を行った際に各スリット１４１による周方向の隙間を露呈させたが、内周部分をストレーナ本体の内壁から離して張り出すように異物捕獲部が変形動作した際、および内周部分をストレーナ本体の内壁に沿うように異物捕獲部が変形動作した際に、各スリットによる周方向の隙間がいずれの動作においても密閉されるように、スリットを挟んで互い相隣る異物捕獲部の捕獲片同士の一部分が異物捕獲部の変形動作時に互いに重なり合うような扇状に形成されていてもよい。
【図面の簡単な説明】
【００２８】
【図１】本発明の実施形態に係る図２のＡ−Ａ線において切断したサブストレーナの縦断面図である。
【図２】サブストレーナを上方から見た平面図である。
【図３】サブストレーナおよびその油循環方向上流側のソレノイドモジュレータバルブ並びに油循環方向下流側のソレノイドバルブのレイアウトを示すレイアウト図である。
【図４】油循環流路での油の循環停止時における図１相当図である。
【図５】油循環流路での油の循環時における図１相当図である。
【図６】油循環流路での油の循環停止時における異物捕獲部の張り出し動作を上方から見た平面図である。
【図７】油循環流路での油の循環時における異物捕獲部の変形動作を上方から見た平面図である。
【符号の説明】
【００２９】
１        サブストレーナ
１１      ストレーナ本体
１１２    油流入口
１１５    油流出口
１２      メッシュ部
１３      スペーサ（固定部）
１４      異物捕獲部
１４１    スリット
Ｇ        油循環流路
Ｇ１      上流側油循環流路（サブストレーナよりも油循環流方向上流側の油循環流路）
Ｇ２      下流側油循環流路（サブストレーナよりも油循環流方向下流側の油循環流路）
Ｑ        異物
【図１】
2008232376.tif 000003
【図２】
2008232376.tif 000004
【図３】
2008232376.tif 000005
【図４】
2008232376.tif 000006
【図５】
2008232376.tif 000007
【図６】
2008232376.tif 000008
【図７】
2008232376.tif 000009